【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
任意の形状の閉ループを形成し、１つ又は複数の入口部を画定する可撓性の連続的ダムであって、前記１つ又は複数の入口部は、前記閉ループの周りに延在するチャネルと連通しており、前記チャネルは、前記閉ループの内部周囲によって取り囲まれて画定された内部領域の中に吸引力を導入するように構成され、前記閉ループの前記内部周囲の内部にガードが配置されており、前記１つ又は複数の入口部を少なくとも覆い、又は部分的に覆い、その結果、前記１つ又は複数の入口部を通して、前記連続的ダムの前記内部領域の中に吸引力が加えられることが可能になっており、前記閉ループは、前記内部領域の周りに延在する対向する第１および第２の面を画定し、前記ダムは、前記第１および第２の面がそれぞれ曲がることができ、同時に前記第１および第２の面が対面シール係合で隣接する体の組織に並置して立体構造的に係合するのに十分な可撓性を有し、前記１つ又は複数の入口部は、前記第１および第２の面が隣接する体の組織と対面シール係合した状態で、前記隣接する体の組織が前記内部領域の方へ吸い込まれるのに十分な吸引力を導入するように構成され、前記ガードは、前記隣接する体の組織が前記１つ又は複数の入口部の中に吸い込まれるのを防止する可撓性の連続的ダムを備える、吸引式リトラクタ。
【請求項２】
吸引チャネルを画定する吸引チューブであって、前記吸引チューブは、前記連続的ダムに取り付けられているか、又は取り付け可能になっており、取り付けられると、前記吸引チャネルが、前記１つ又は複数の入口部に接続され、前記吸引チューブが前記連続的ダムに横方向に配置される吸引チューブをさらに備える、請求項１に記載の吸引式リトラクタ。
【請求項３】
前記チャネルが、前記閉ループの内部を通して連続的である請求項１又は請求項２に記載の吸引式リトラクタ。
【請求項４】
前記チャネルが、開口チャネルを備える請求項１から請求項３の何れか１項に記載の吸引式リトラクタ。
【請求項５】
前記チャネルが、複数の有窓部を備える請求項１から請求項４の何れか１項に記載の吸引式リトラクタ。
【請求項６】
前記連続的ダムが、平面的、又は実質的に平面的であり、前記連続的ダムおよび前記吸引チューブが、平面的又は実質的に平面的な構成である請求項１から請求項５の何れか１項に記載の吸引式リトラクタ。
【請求項７】
前記可撓性の連続的ダムが、挿入のためにコンパクトにされた第１の構成、および牽引のために開かれた第２の構成を取り得る、請求項１から請求項６の何れか１項に記載の吸引式リトラクタ。
【請求項８】
請求項１から請求項７の何れか１項に記載の吸引式リトラクタを使用して、１つ又は複数の体の一部分、組織、臓器、又はその一部分を牽引する方法。
【請求項９】
リトラクタを通して吸引力を加えるステップであって、前記リトラクタは、可撓性の連続的ダムの中に画定された１つ又は複数の入口部を含み、前記連続的ダムは、任意の形状の閉ループを形成し、前記１つ又は複数の入口部は、前記閉ループの周りに延在するチャネルと連通しており、前記チャネルは、前記閉ループの内部周囲によって取り囲まれて画定された内部領域の中に吸引力を導入するように構成され、前記閉ループの前記内部周囲の内部にガードが配置されており、前記１つ又は複数の入口部を少なくとも覆い、又は部分的に覆い、その結果、前記１つ又は複数の入口部を通して、前記連続的ダムの前記内部領域の中に吸引力が加えられることが可能になっており、前記閉ループは、前記内部領域の周りに延在する対向する第１および第２の面を画定し、前記ダムは、前記第１および第２の面がそれぞれ曲がることができ、同時に前記第１および第２の面が対面シール係合で隣接する体の組織に並置して立体構造的に係合するのに十分な可撓性を有し、前記１つ又は複数の入口部は、前記第１および第２の面が隣接する体の組織と対面シール係合した状態で、前記隣接する体の組織が前記内部領域の方へ吸い込まれるのに十分な吸引力を導入するように構成され、前記ガードは、前記隣接する体の組織が前記１つ又は複数の入口部の中に吸い込まれるのを防止し、それによって、１つ又は複数の体の一部分、組織、臓器、又はその一部分に対するシールを形成し、前記１つ又は複数の体の一部分、組織、臓器、又はその一部分を牽引する、ステップを含む、吸引力を用いて１つ又は複数の体の一部分、組織、臓器、又はその一部分を牽引する方法。
【請求項１０】
前記連続的ダムに取り付けられた吸引チューブを通して吸引力を加えるステップであって、前記吸引チューブが、前記１つ又は複数の入口部に接続された吸引チャネルを画定する、ステップをさらに含む請求項９に記載の方法。
【請求項１１】
前記チャネルが、前記閉ループの内部を通して連続的である請求項９又は請求項１０に記載の方法。
【請求項１２】
前記チャネルが、開口チャネルを備える請求項１１に記載の方法。
【請求項１３】
前記チャネルが、複数の有窓部を備える請求項１１又は請求項１２に記載の方法。
【請求項１４】
前記吸引チューブが、前記連続的ダムに取り付けられると、前記吸引チューブが、前記連続的ダムに横方向に配置される請求項１０から請求項１３の何れか１項に記載の方法。
【請求項１５】
前記連続的ダムが、平面的、又は実質的に平面的であり、前記連続的ダム、および存在するときは前記吸引チューブが、平面的又は実質的に平面的な構成である請求項９から請求項１４の何れか１項に記載の方法。
【請求項１６】
前記可撓性の連続的ダムが、挿入のためにコンパクトにされた第１の構成、および牽引のために開かれた第２の構成を取り得る請求項９から請求項１５の何れか１項に記載の方法。
【請求項１７】
任意の形状の閉ループを形成し、前記閉ループの周りに延在するチャネルと連通する１つ又は複数の入口部を画定する可撓性の連続的ダムを形成するステップであって、前記チャネルは、前記閉ループの内部周囲によって取り囲まれて画定された内部領域の中に吸引力を導入するように構成され、前記閉ループの前記内部周囲の内部にガードが配置されており、前記１つ又は複数の入口部を少なくとも覆い、又は部分的に覆い、その結果、前記１つ又は複数の入口部を通して、前記連続的ダムの前記内部領域の内部に吸引力が加えられることが可能になっており、前記閉ループは、前記内部領域の周りに延在する対向する第１および第２の面を画定し、前記ダムは、前記第１および第２の面がそれぞれ曲がることができ、同時に前記第１および第２の面が対面シール係合で隣接する体の組織に並置して立体構造的に係合するのに十分な可撓性を有し、前記１つ又は複数の入口部は、前記第１および第２の面が隣接する体の組織と対面シール係合した状態で、前記隣接する体の組織が前記内部領域の方へ吸い込まれるのに十分な吸引力を導入するように構成され、前記ガードは、前記隣接する体の組織が前記１つ又は複数の入口部の中に吸い込まれるのを防止するステップを含む吸引式リトラクタを製造する方法。
【請求項１８】
吸引チャネルを画定する吸引チューブを形成するか、又は取り付けるステップであって、前記吸引チャネルおよび１つ又は複数の入口部が連続的であり、前記吸引チューブが前記連続的ダムに横方向に配置される、ステップをさらに含む請求項１７に記載の方法。
【請求項１９】
任意の形状の閉ループを形成し、１つ又は複数の入口部を画定する可撓性の連続的ダムであって、前記１つ又は複数の入口部を通して吸引力が加えられることが可能であり、前記１つ又は複数の入口部は、前記閉ループの周りに延在するチャネルと連通しており、前記チャネルは、前記閉ループの内部周囲によって取り囲まれて画定された内部領域の中に吸引力を導入するように構成され、前記閉ループの前記内部周囲の内部にガードが配置されており、前記１つ又は複数の入口部を少なくとも覆い、又は部分的に覆い、その結果、前記１つ又は複数の入口部を通して、前記連続的ダムの前記内部領域の中に吸引力が加えられることが可能になっており、前記閉ループは、前記内部領域の周りに延在する対向する第１および第２の面を画定し、前記ダムは、前記第１および第２の面がそれぞれ曲がることができ、同時に前記第１および第２の面が対面シール係合で隣接する体の組織に並置して立体構造的に係合するのに十分な可撓性を有し、前記１つ又は複数の入口部は、前記第１および第２の面が隣接する体の組織と対面シール係合した状態で、前記隣接する体の組織が前記内部領域の方へ吸い込まれるのに十分な吸引力を導入するように構成され、前記ガードは、前記隣接する体の組織が前記１つ又は複数の入口部の中に吸い込まれるのを防止する可撓性の連続的ダムと、
前記連続的ダムに横方向に配置された吸引チューブであって、該吸引チューブが吸引チャネルを画定し、前記吸引チューブは、前記連続的ダムに取り付けられているか、又は取り付け可能になっており、取り付けられると前記吸引チャネルが前記１つ又は複数の入口部に接続される、吸引チューブとを備える、体の一部分、組織、臓器、および／又はその一部分を牽引するシステム。
【請求項２０】
前記吸引チューブおよび前記１つ又は複数の入口部を通して吸引力を加えるための装置をさらに備える請求項１９に記載のシステム。
【請求項２１】
前記吸引式リトラクタが、従来の腹腔鏡吸引式リトラクタ又は単一の切開部の腹腔鏡吸引式リトラクタである請求項１から請求項７の何れか１項に記載の吸引式リトラクタ。
【請求項２２】
前記吸引式リトラクタが、従来の腹腔鏡吸引式リトラクタ又は単一の切開部の腹腔鏡吸引式リトラクタである請求項８から請求項１８の何れか１項に記載の方法。
【請求項２３】
前記吸引式リトラクタが、従来の腹腔鏡吸引式リトラクタ又は単一の切開部の腹腔鏡吸引式リトラクタである請求項１９又は請求項２０に記載のシステム。
【請求項２４】
前記閉ループが、１つ又は複数のリップを含む断面プロファイルを有する、請求項１から請求項７の何れか１項に記載の吸引式リトラクタ。
【請求項２５】
前記閉ループが、１つ又は複数のリップを含む断面プロファイルを有する、請求項８から請求項１８の何れか１項に記載の方法。
【請求項２６】
前記閉ループが、１つ又は複数のリップを含む断面プロファイルを有する、請求項１９又は請求項２０に記載のシステム。